【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
可撓性材料により作製され、内部空間が剥離可能な仕切用弱シール部により第１の薬剤室と第２の薬剤室に区分された容器本体と、前記第１の薬剤室の下端部と連通可能な排出ポートと、前記第１の薬剤室に収納された第１の薬剤と、前記第２の薬剤室に収納された第２の薬剤とを備える医療用複室容器であって、該医療用複室容器は、前記第１の薬剤室と前記排出ポートとの連通を阻害しかつ剥離可能な連通阻害用弱シール部を備え、さらに、該連通阻害用弱シール部は、一端が前記排出ポートが取り付けられた閉塞部より前記仕切用弱シール部側に延びる第１の部分と、該第１の部分と連続しかつ前記排出ポートの中心軸に対してほぼ直交する方向に延びる第２の部分と、該第２の部分と連続しかつ前記閉塞部側に延びかつ前記閉塞部に到達する第３の部分を備え、前記排出ポートの先端部の上方を取り囲むように形成されており、前記排出ポートは、本体部と前記先端部を有する筒状体であり、該先端部は前記本体部より断面積が小さいものとなっており、さらに、該排出ポートの前記先端部の先端と前記連通阻害用弱シール部の前記第２の部分における排出ポート側端縁との距離は、６〜１５ｍｍであることを特徴とする医療用複室容器。
【請求項２】
前記排出ポートの先端部は、扁平形状となっている請求項１に記載の医療用複室容器。
【請求項３】
前記排出ポートの先端部は、前記連通阻害用弱シール部の前記第２の部分方向に向かってテーパー状に縮径している請求項１に記載の医療用複室容器。
【請求項４】
可撓性材料により作製され、内部空間が剥離可能な仕切用弱シール部により第１の薬剤室と第２の薬剤室に区分された容器本体と、前記第１の薬剤室の下端部と連通可能な排出ポートと、前記第１の薬剤室に収納された第１の薬剤と、前記第２の薬剤室に収納された第２の薬剤とを備える医療用複室容器であって、該医療用複室容器は、前記第１の薬剤室と前記排出ポートとの連通を阻害しかつ剥離可能な連通阻害用弱シール部を備え、さらに、該連通阻害用弱シール部は、一端が前記排出ポートが取り付けられた閉塞部より前記仕切用弱シール部側に延びる第１の部分と、該第１の部分と連続しかつ前記排出ポートの中心軸に対してほぼ直交する方向に延びる第２の部分と、該第２の部分と連続しかつ前記閉塞部側に延びかつ前記閉塞部に到達する第３の部分を備え、前記排出ポートの上方を取り囲むように形成されており、さらに、前記排出ポートは、ほぼ同一外径を備える円筒状であり、該排出ポートの先端部の先端と前記連通阻害用弱シール部の前記第２の部分における排出ポート側端縁との距離は、１５〜３０ｍｍであることを特徴とする医療用複室容器。
【請求項５】
前記閉塞部は、第１の薬剤室側の端縁の前記排出ポートの両側部に形成された容器本体の側部方向に延びる直線部分を備え、前記連通阻害用弱シール部の前記第２の部分における排出ポート側端縁は、前記排出ポートの両側部に位置する前記閉塞部のそれぞれの直線部分を結ぶ仮想線より前記仕切用弱シール部側に位置している請求項１ないし４のいずれかに記載の医療用複室容器。
【請求項６】
前記排出ポートの両側部に位置する前記閉塞部のそれぞれの直線部分を結ぶ仮想線は、前記排出ポートの先端部の先端より、前記連通阻害用弱シール部の前記第２の部分側となるものである請求項１ないし４のいずれかに記載の医療用複室容器。
【請求項７】
前記連通阻害用弱シール部と前記排出ポートと前記閉塞部により形成される空間には、液体が添加されている請求項１ないし６のいずれかに記載の医療用複室容器。
【請求項８】
前記仕切用弱シール部および前記連通阻害用弱シール部は、熱シールにより形成されている請求項１ないし６のいずれかに記載の医療用複室容器。
【請求項９】
前記連通阻害用弱シール部と前記排出ポートと該排出ポートが固定された下端側シール部により形成される空間内には、液体が添加されており、かつ、該空間への前記液体の添加量は、前記空間内の容積１ｍｌ当たり、０．０２〜０．１ｍｌである請求項１ないし８のいずれかに記載の医療用複室容器。
【請求項１０】
前記連通阻害用弱シール部と前記排出ポートと該排出ポートが固定された下端側シール部により形成される空間内には、液体が添加されており、かつ、該空間への前記液体の添加量は、前記空間内の容積１ｍｌ当たり、０．００５〜０．１ｍｌである請求項１ないし８のいずれかに記載の医療用複室容器。
【請求項１１】
前記医療用複室容器は、高圧蒸気滅菌されているものである請求項９または１０に記載の医療用複室容器。
【請求項１２】
可撓性材料により作製され、内部空間が剥離可能な仕切用弱シール部により第１の薬剤室と第２の薬剤室に区分された容器本体と、該容器本体の下端側シール部に固定され、前記第１の薬剤室の下端部と連通する排出ポートと、前記第１の薬剤室に収納された第１の薬剤と、前記第２の薬剤室に収納された第２の薬剤と、前記第１の薬剤室と前記排出ポートとの連通を阻害しかつ剥離可能な連通阻害用弱シール部とを備える医療用複室容器であり、前記医療用複室容器は、前記連通阻害用弱シール部と前記排出ポートと前記下端側シール部により形成された空室である第３室を備え、該第３室内には該第３室内を滅菌するための水が添加されていることを特徴とする医療用複室容器。
【請求項１３】
前記医療用複室容器は、高圧蒸気滅菌されているものである請求項１２に記載の医療用複室容器。
【請求項１４】
前記第３室への前記水の添加量は、前記第３室内の容積１ｍｌ当たり、０．０２〜０．１ｍｌである請求項１２または１３に記載の医療用複室容器。
【請求項１５】
前記第３室への前記水の添加量は、前記第３室内の容積１ｍｌ当たり、０．００５〜０．１ｍｌである請求項１２または１３に記載の医療用複室容器。
【手続補正２】
【補正対象書類名】明細書
【補正対象項目名】０００６
【補正方法】変更
【補正の内容】
【０００６】
また、上記目的を達成するものは、以下のものである。
（４）  可撓性材料により作製され、内部空間が剥離可能な仕切用弱シール部により第１の薬剤室と第２の薬剤室に区分された容器本体と、前記第１の薬剤室の下端部と連通可能な排出ポートと、前記第１の薬剤室に収納された第１の薬剤と、前記第２の薬剤室に収納された第２の薬剤とを備える医療用複室容器であって、該医療用複室容器は、前記第１の薬剤室と前記排出ポートとの連通を阻害しかつ剥離可能な連通阻害用弱シール部を備え、さらに、該連通阻害用弱シール部は、一端が前記排出ポートが取り付けられた閉塞部より前記仕切用弱シール部側に延びる第１の部分と、該第１の部分と連続しかつ前記排出ポートの中心軸に対してほぼ直交する方向に延びる第２の部分と、該第２の部分と連続しかつ前記閉塞部側に延びかつ前記閉塞部に到達する第３の部分を備え、前記排出ポートの上方を取り囲むように形成されており、さらに、前記排出ポートは、ほぼ同一外径を備える円筒状であり、該排出ポートの先端部の先端と前記連通阻害用弱シール部の前記第２の部分における排出ポート側端縁との距離は、１５〜３０ｍｍである医療用複室容器。
（５）  前記閉塞部は、第１の薬剤室側の端縁の前記排出ポートの両側部に形成された容器本体の側部方向に延びる直線部分を備え、前記連通阻害用弱シール部の前記第２の部分における排出ポート側端縁は、前記排出ポートの両側部に位置する前記閉塞部のそれぞれの直線部分を結ぶ仮想線より前記仕切用弱シール部側に位置している上記（１）ないし（４）のいずれかに記載の医療用複室容器。
（６）  前記排出ポートの両側部に位置する前記閉塞部のそれぞれの直線部分を結ぶ仮想線は、前記排出ポートの先端部の先端より、前記連通阻害用弱シール部の前記第２の部分側となるものである上記（１）ないし（４）のいずれかに記載の医療用複室容器。
（７）  前記連通阻害用弱シール部と前記排出ポートと前記閉塞部により形成される空間には、液体が添加されている上記（１）ないし（６）のいずれかに記載の医療用複室容器。
（８）  前記仕切用弱シール部および前記連通阻害用弱シール部は、熱シールにより形成されている上記（１）ないし（６）のいずれかに記載の医療用複室容器。
また、上記目的を達成するものは、以下のものである。
（９）  前記連通阻害用弱シール部と前記排出ポートと該排出ポートが固定された下端側シール部により形成される空間内には、液体が添加されており、かつ、該空間への前記液体の添加量は、前記空間内の容積１ｍｌ当たり、０．０２〜０．１ｍｌである上記（１）ないし（８）のいずれかに記載の医療用複室容器。
（１０）  前記連通阻害用弱シール部と前記排出ポートと該排出ポートが固定された下端側シール部により形成される空間内には、液体が添加されており、かつ、該空間への前記液体の添加量は、前記空間内の容積１ｍｌ当たり、０．００５〜０．１ｍｌである上記（１）ないし（８）のいずれかに記載の医療用複室容器。
（１１）  前記医療用複室容器は、高圧蒸気滅菌されているものである上記（９）または（１０）に記載の医療用複室容器。
また、上記目的を達成するものは、以下のものである。
（１２）  可撓性材料により作製され、内部空間が剥離可能な仕切用弱シール部により第１の薬剤室と第２の薬剤室に区分された容器本体と、該容器本体の下端側シール部に固定され、前記第１の薬剤室の下端部と連通する排出ポートと、前記第１の薬剤室に収納された第１の薬剤と、前記第２の薬剤室に収納された第２の薬剤と、前記第１の薬剤室と前記排出ポートとの連通を阻害しかつ剥離可能な連通阻害用弱シール部とを備える医療用複室容器であり、前記医療用複室容器は、前記連通阻害用弱シール部と前記排出ポートと前記下端側シール部により形成された空室である第３室を備え、該第３室内には該第３室内を滅菌するための水が添加されている医療用複室容器。
（１３）  前記医療用複室容器は、高圧蒸気滅菌されているものである上記（１２）に記載の医療用複室容器。
（１４）  前記第３室への前記水の添加量は、前記第３室内の容積１ｍｌ当たり、０．０２〜０．１ｍｌである上記（１２）または（１３）に記載の医療用複室容器。
（１５）  前記第３室への前記水の添加量は、前記第３室内の容積１ｍｌ当たり、０．００５〜０．１ｍｌである上記（１２）または（１３）に記載の医療用複室容器。